(57)【要約】【課題】操作性や品格・デザイン性を保ちながら小型化したカード装着装置の誤操作防止を目的とする。【解決手段】メモリカードを操作する操作釦１０２を収納する天面蓋１０４が、ベース軸１０４ｃで軸支されるホルダーベース１１４に当該天面蓋１０４が閉じた状態を検出する収納検知スイッチを押す検知ＳＷバネ１２０を固定する。収納検知スイッチが検知ＳＷカム部１０４ｄを押すと、所定時間操作ボタン１０２からの信号を無効にする制御部を備えることで、天面蓋１０４を閉じる際に意図しない操作釦１０２を押すことで機器が意図しない動作状態に陥れることを抑制できる。【選択図】図１
2006228235.tif 000002
【特許請求の範囲】
【請求項１】
機器本体に対して所定の角度回動して前記機器本体より突出することによりカード状記録媒体を挿入または抜去する開口部が開放される第１の位置と、機器本体に収納することにより前記開口部が閉鎖される第２の位置とを選択的に移動する装着ユニットと、
前記第１の位置から前記第２の位置への移動を検知する検知スイッチと、
前記検知スイッチの検知結果に基づき、前記操作釦を第２の位置への移動から所定の時間無効とする制御部とを備えるカード装着装置。
【発明の詳細な説明】
【技術分野】
【０００１】
本発明は、ビデオカメラやデジタルスチルカメラ等などに使用するメモリーカードを挿入または取り出しするためのカード装着装置に関するものである。
【背景技術】
【０００２】
近年、ビデオカメラやデジタルスチルカメラなどにおいては、小型のメモリーカードを搭載して静止画や動画などを記録または再生する機能が付加されてきている。このような娯楽や趣味に多く使用される機器には、特に操作性や、小型化と品格・デザインに対する要求が高い。特に、メモリーカードを挿入または取り出しするカード装着装置については操作性や小型化、品格・デザインの向上が重要な課題となっている。
【０００３】
以下に従来のカード装着装置について説明する。
【０００４】
図６および図７は従来のカード装着装置を示す。図６はカード状記録媒体であるメモリーカードの挿入時、図７はカード装着装置の一部である開閉蓋が閉じられた状態を、それぞれ示す。なお、同じ箇所には同じ符号を付与した。
【０００５】
まず、図６に示すように、機器であるビデオカメラ１には、その操作釦２が配置されている。メモリーカード３を挿入して電気的接続を行うカードコネクタ（図示せず）は、ビデオカメラ１の内部に固定されている（固定方法は図示せず）。
【０００６】
開閉蓋４は、メモリーカード３を挿入または取り出ししないときにカードコネクタの開口部５を覆い隠すために、ビデオカメラ１上に設けられている。
【０００７】
開閉蓋４には支軸を設けてあり、回動によりカード状記録媒体を挿入または抜去する開口部が開放された第１の位置（図６）と、機器に収納することにより開口部が閉鎖される第２の位置（図７）とを選択的に移動できる。
【０００８】
開閉蓋４には、それを開くときに指を入れるための蓋切欠き部４ａを設けている。
【０００９】
また機器１には、メモリーカード３を取り出すとき、メモリーカード３をつまむために指を入れる機器切欠き部６を設けている。
【００１０】
以上のように構成された従来のカード装着装置について、その動作を説明する。図６に示すように、メモリーカード３の挿入または取り出し時には開閉蓋４を開き、メモリーカード３を開口部５から挿入あるいは取り出し、その後、図７に示すように開閉蓋４を矢印Ｔの方向に押し上げて閉じる。開閉蓋４は図示しないロック機構により、閉じた状態に保持される。なお、この種の技術に関しては、例えば、特許文献１に紹介されている。
【特許文献１】特開２００２−４２０５９号公報
【発明の開示】
【発明が解決しようとする課題】
【００１１】
しかしながら上記従来の構成では、図６に示すように大きな機器切欠き部６が必要であり、操作釦２の配置スペースと互いに干渉するため、広い面積が必要となり小型化の妨げとなると共に、メモリーカード３を装着後ロック機構で開口部を閉鎖する際に操作釦を誤って押下することでビデオカメラ１が意図しない動作を行う可能性がある。
【００１２】
本発明は、上記課題に鑑み、小型化してカード装着装置の意図しない操作釦押下に起因する機器の誤動作を抑制することを目的とする。
【課題を解決するための手段】
【００１３】
この目的を達成するために本発明のカード装着装置は、機器本体に対して所定の角度回動して前記機器本体より突出することによりカード状記録媒体を挿入または抜去する開口部が開放される第１の位置と、機器本体に収納することにより前記開口部が閉鎖される第２の位置とを選択的に移動する装着ユニットと、前記第１の位置から前記第２の位置への移動を検知する検知スイッチと、前記検知スイッチの検知結果に基づき、前記操作釦を第２の位置への移動から所定の時間無効とする制御部とを備える。
【発明の効果】
【００１４】
以上のように本発明は、高い操作性や品格を有しながら、機器を格段に小型化できるカード装着装置の誤操作を防止することができる。
【発明を実施するための最良の形態】
【００１５】
以下、本発明の実施の形態について、図面を用いて説明する。
【００１６】
（実施の形態）
以下、図１を主体に説明するが、図２、図３、図４および図５も参照されたい。
【００１７】
図１は本発明の実施の形態に係るカード装着装置の構成を示す分解斜視図である。機器の操作釦１０２は、パターンを形成したフレキシブルプリント基板（以下ＦＰＣと記す）上にダイヤフラム状の接点を配置し、表面を絶縁シートで覆いかぶせて構成されている（図示せず）。また、操作釦１０２は天面蓋１０４に両面接着テープにて固定されている。
【００１８】
天面蓋１０４には天面蓋切欠き部１０４ｃを設ける。天面蓋切欠き部１０４ｃは、後記のカード状記録媒体であるメモリーカード１０３を開口部１０４から取り出すとき、指でつまむために、メモリーカード１０３の一部が露出するように形成された切欠き部である。
【００１９】
カードコネクタ１１１はメモリーカード１０３が開口部１０５に挿入されたときに、カメラ１０１に内蔵された電子回路（図示せず）との間で電気信号の授受を行うためのものである。カードコネクタ１１１は、カードプリント基板１１１ａ上に実装され、コネクタホルダー１１０に収納、固定される。
【００２０】
カードプリント基板１１１ａは、カードコネクタ１１１と機器であるビデオカメラ１０１の電子回路を電気的に接続するフレキシブルコネクタ１１１ｂも実装している。これにビデオカメラ１０１との信号伝送経路であるカードＦＰＣ１１２を接続する。
【００２１】
遮蔽蓋１０７は異物侵入防止と品格向上のために設けられ、ガイドリブ１０７ｂが設けられている。また、遮蔽蓋１０７は、ガイドリブ１０７ｂとコネクタホルダー１１０に形成したガイドリブ１１０ｂとが緩やかに嵌合するように、コネクタホルダー１１０に収納される。なお遮蔽蓋１０７には、導体であるステンレス板で構成した蓋アース板１２３をあらかじめ固定している。
【００２２】
補強板１０８は導体であるステンレス板で構成されている。補強版１０８はメモリーカード１０３を開口部１０５から取り出すときに指でつまむために、メモリーカード１０３の一部が露出するよう形成された、補強板切欠き部１０８ｅを備えている。また、補強板１０８は、カードコネクタ１１１と遮蔽蓋１０７を挟み込むように、コネクタホルダー１１０の上からスライドさせながら被せ、４箇所の補強板嵌合部１０８ａと、相対するホルダー嵌合部１１０ａを嵌合させて仮固定する。この状態で、蓋アース板１２３に一体的に形成したバネ接点部１２３ａと補強板１０８は所定の荷重をもって付勢され、電気的に導通状態を保つ。なお、補強板１０８に形成している軸孔１０８ｂには、導体であるステンレス材で構成した回動軸１０９をカシメ固定している。
【００２３】
回動軸１０９は、補強板１０８を介して装着ユニットを開くためのねじりコイルバネ１１５を装着している。軸孔１０８ｂの対面上であって、この回動軸１０９と同軸上には、バーリング加工にて形成した軸受け部１０８ｃを設けている。
【００２４】
このようにして組み立てられたユニットは、後記するように天面蓋１０４を固定されて装着ユニットを構成する。
【００２５】
なお本発明の実施の形態では、遮蔽蓋１０７はメモリーカード１０３の存在が確認できるように、光透過性のポリカーボネート樹脂で形成している。また、遮蔽蓋１０７をメモリーカード１０３の存在が確認できる程度の青色に着色することにより、デザイン性も高めている。
【００２６】
ホルダーベース１１４は、天面蓋１０４が閉じた状態を検出するための収納検知スイッチ（図示せず。以下検知ＳＷと記す）を押すための検知ＳＷバネ１２０を固定する。また、天面蓋１０４には、検知ＳＷバネ１２０を押すための検知ＳＷカム部１０４ｄを形成している。検知ＳＷで、天面蓋１０４が閉じた状態を検出すると、機器内の制御部（図示せず）によって、所定の時間、例えば２秒間、操作釦１０２からの信号を無効にする。これは、天番蓋１０４を閉じる際に誤って意図しない操作釦１０２を押してしまい、機器が意図しない動作状態に陥るのを防ぐためである。
【００２７】
また、ホルダーベース１１４には、天面蓋１０４を収納状態で保持するためのロック機構を次に説明するように組み付ける。
【００２８】
まず、ホルダーベース１１４に形成したツマミ取り付け孔１１４ｆに、その一方よりロック解除ツマミ１１６を挿入し、他方よりロックピース１１７を挿入してロック解除ツマミ１１６の嵌合爪（図示せず）に嵌合させてスライドすることが可能な状態に固定している。
【００２９】
ロックピース１１７とホルダーベース１１４との間には、ロック解除ツマミ１１６をロック状態位置に戻すためのロックピースバネ１１８を取り付けている。
【００３０】
ロックピース１１７にはロックカム部１１７ａを、天面蓋１０４にはこれに係合または解除するカムフォロワー部１０４ｂをそれぞれ形成している。
【００３１】
このように組み立てられた各ユニットは、その回動軸１０９および軸受け部１０８ｃを、ホルダーベース１１４に形成したベース軸孔１１４ｄおよびベース軸１１４ｃに、それぞれ挿入して取り付ける。
【００３２】
更に、その両端に軸孔を形成した一対のリンク１１３についても、一方の軸穴をホルダーベース１１４に形成したベースリンク軸１１４ｂに、他方の軸穴を遮蔽蓋１０７に一体的に形成した蓋軸１０７ａに、それぞれ挿入することにより取り付ける。
【００３３】
ここまで組み立てられたユニットについて、あらかじめ操作釦１０２を固定していた天面蓋１０４を、その蓋嵌合部１０４ａと補強板の先端１０８ｄを嵌合させながら補強板１０８に被せ、蓋固定ビス１１９にて固定している。
【００３４】
図２は、完成した装着ユニットを示す。装着ユニットは、ビデオカメラ１０１の一部をなすサイドケース１２１に挿入され、ホルダーベース１１４に形成した４箇所のベース嵌合爪１１４ａとサイドケース１２１の嵌合穴１２１ａが嵌合して仮固定される。その後、機構固定ビス１２２をベースボス部１１４ｅに締結することで完全に固定される。
【００３５】
この状態で、ねじりコイルバネ１１５の一端の腕は補強板１０８に、もう一方の腕はビデオカメラ１０１の一部であるサイドケース１２１に固定した機器アース板（図示せず）に、所定の荷重をもって付勢される。
【００３６】
その結果、補強板１０８と機器アース板は、互いに開く方向に付勢され、遮蔽蓋１０７と補強板１０８とに設けたストッパー部（図示せず）が当接することにより、装着ユニットが所定の角度ビデオカメラ１０１より突出した位置（カード状記録媒体を挿入または抜去する開口部が開放される第１の位置）に保持される。
【００３７】
また以上の構成により、機器アース板（図示せず）からねじりコイルバネ１１５、補強板１０８および蓋アース板１２３までの導通を確保しており、メモリーカード１０３の挿抜時に人体の静電気が接地されて、メモリーカード１０３に記録されたデータが静電気により破壊されることを防止している。
【００３８】
以上のように構成された本発明の実施の形態のカード装着装置について、図３、図４および図５を用いて、その動作を説明する。
【００３９】
図３、図４および図５はメモリーカード１０３の挿入操作を説明したものである。
【００４０】
図３はカード装着装置の装着ユニットが収納された状態を示す。この状態ではロックカム部１１７ａとカムフォロワー部１０４ｂが係合しているため、カード装着装置は収納状態で保持されている。この状態を第１の状態とする。
【００４１】
まずロック解除ツマミ１１６を矢印Ｐの方向に移動させると、ロックカム部１１７ａとカムフォロワー部１０４ｂの係合が解除される。補強板１０８と機器アース板は、互いに開く方向に常に付勢される。
【００４２】
図４は装着ユニットが開いた状態を示す。すなわち、図３に示した、遮蔽蓋１０７と補強板１０８とに設けたストッパー部（図示せず）が当接する角度（カード状記録媒体を挿入または抜去する開口部が開放される第１の位置）まで、矢印Ｑに示すように装着ユニットが開く。この状態を第２の状態とする。
【００４３】
この状態で、遮蔽蓋１０７とコネクタホルダー１１０とで囲まれて形成された開口部１０５にメモリーカード１０３を矢印Ｒに示すように着脱可能となる。メモリーカード１０３を挿入し、カードコネクタ１１１に差し込まれると、メモリーカード１０３とビデオカメラ１０１に内蔵された電子回路（図示せず）との間で電気的信号の授受が可能となる。
【００４４】
なおこの位置では、図１に示したリンク１１３によって遮蔽蓋１０７が引き寄せられて補強板１０８の下に収納されるため、補強板切欠き部１０８ｅと天面蓋切欠き部１０４ｃを通してメモリーカード１０３が一部露出しており、これを確実に押し込んだり、あるいは指でつまむことができるようになっている。
【００４５】
メモリーカード１０３を挿入した後は、図５に示すように天面蓋１０４の一端を矢印Ｓのように押して装着ユニットを収納すると、ロックカム部１１７ａとカムフォロワー部１０４ｂが係合し、装着ユニットは収納状態で保持される。
【００４６】
なお、天面蓋１０４に取り付けられた操作釦１０２に設けられた釦類は、一面に配置しても良いが、天面蓋１０４を押下しやすいように、釦のない空間を設けると良い。
【００４７】
メモリーカード１０３を取り出すときは、挿入時と同様に装着ユニットを開き、補強板切欠き部１０８ｅと天面蓋切欠き部１０４ｃを通して露出しているメモリーカード１０３を指でつまんで抜けば良い。
【００４８】
以上のように本発明の実施の形態によれば、装着ユニットの天面蓋１０４上に操作釦１０２を配置することにより、従来技術のように機器本体上に開閉蓋を配置する必要がなくなるので、機器の品格を向上させることができ、また開閉蓋を配置するスペースが必要なくなるので、機器本体を小型化することができる。
【００４９】
なお、本発明の実施の形態において、メモリーカード１０３は記録媒体であれば、必ずしもメモリーカードである必要はなく、信号の記録または読み出しができれば、必ずしも電気的接続で無くても良い。例えば、電磁波信号、磁気信号や光信号によるものであっても良い。
【００５０】
また、天面蓋１０４が閉じた状態を検出し、検出後の所定時間、操作釦１０２による操作を無効にするとしたが、天面蓋１０４が図４に示すように開いている間、操作釦１０２による操作を無効にするように構成しても良い。なお、これらを制御する制御部は、例えば、システム制御用のマイクロコンピュータなどにより実現すれば良い。また、これらの機能を必要としない場合は、天面蓋１０４が閉じた状態を検出するための収納検知ＳＷや、これを押すための検知ＳＷバネ１２０は必須の構成要件では無い。
【００５１】
なお本発明の実施の形態では、遮蔽蓋１０７はメモリーカード１０３の存在が確認できるように光透過性のポリカーボネート樹脂で形成し、カードの存在が確認できる程度の青色に着色したが、遮蔽蓋１０７の色は必ずしも青である必要は無い。たとえば、緑色であっても良い。
【００５２】
また、小型化のためには透明である必要も無く、ポリアセタールなど、他の材料でもかまわない。
【００５３】
また、遮蔽蓋１０７に導体であるステンレス板で構成した蓋アース板１０８を固定したが、これが無くても目的を達成することができる。
【００５４】
更に、一対のリンク１１３にて遮蔽蓋１０７とホルダーベース１１４を結合させることにより遮蔽蓋１０７を移動させ、第１の位置ではメモリーカード１０３の一部を露出、第２の位置ではこれを覆う構成としたが、必ずしもこの構成でなくても良い。たとえばカムとカムフォロワーの組み合わせや、歯車を使った構成で遮蔽蓋１０７を移動させるなど、他の構成であっても得られる効果は同じである。
【産業上の利用可能性】
【００５５】
以上のように本発明は、高い操作性や品格を有しながら、格段に小型化できるカード装着装置を備えるを機器の誤操作を抑制できる。
【図面の簡単な説明】
【００５６】
【図１】本発明の実施の形態に係るカード装着装置の構成を示す分解斜視図
【図２】本発明の実施の形態に係るカード装着装置の取付け方を示す斜視図
【図３】本発明の実施の形態に係るカード装着装置の装着ユニットが収納された状態を示す要部斜視図
【図４】本発明の実施の形態に係るカード装着装置の装着ユニットが開いた状態を示す要部斜視図
【図５】本発明の実施の形態に係るカード装着装置の装着ユニットの収納動作説明を行うための要部斜視図
【図６】従来のカード装着装置の要部斜視図（メモリーカード挿入時）
【図７】従来のカード装着装置の要部斜視図（開閉蓋閉時）
【符号の説明】
【００５７】
１０１  ビデオカメラ
１０２  操作釦
１０３  メモリーカード
１０４  天面蓋
１０５  開口部
１０７  遮蔽蓋
１０８  補強板
１０９  回動軸
１１０  コネクタホルダー
１１１  カードコネクタ
１１２  カードＦＰＣ
１１３  リンク
１１４  ホルダーベース
１１５  ねじりコイルバネ
１１６  ロック解除ツマミ
１１７  ロックピース
１１８  ロックピースバネ
１１９  蓋固定ビス
１２０  検知ＳＷバネ
１２１  サイドケース
１２２  機構固定ビス
１２３  蓋アース板
【図１】
2006228235.tif 000003
【図２】
2006228235.tif 000004
【図３】
2006228235.tif 000005
【図４】
2006228235.tif 000006
【図５】
2006228235.tif 000007
【図６】
2006228235.tif 000008
【図７】
2006228235.tif 000009